(57)【特許請求の範囲】
【請求項１】
記録プレートに画像を記録するのに際し、記録プレートと合い紙が交互に積み重ねられた堆積物から記録プレートと合い紙とを分離する画像記録装置であって、
前記合い紙を引上げる合い紙用吸着パッドと、
前記合い紙を前記記録プレートから分離するために、前記合い紙と共にその真下の記録プレートが引上げられるのを規制するセパレータとを備え、
前記合い紙用吸着パッドは、自身の収縮動作によって前記合い紙を引上げるとともに、前記合い紙用吸着パッドが収縮していない状態では前記吸着パッドの先端と前記セパレータの先端の両方を前記合い紙と接触可能に配設したことを特徴とする画像記録装置。
【請求項２】
記録プレートに画像を記録するのに際し、記録プレートと合い紙が交互に積み重ねられた堆積物から記録プレートと合い紙とを分離する画像記録装置であって、
前記合い紙を引上げる合い紙用吸着パッドと、
前記合い紙を前記記録プレートから分離するために、前記合い紙と共にその真下の記録プレートが引上げられるのを規制するセパレータとを備え、
前記セパレータは、前記合い紙用吸着パッドを外囲する筒状部を有し、前記筒状部の先端に切欠き部分が設けられたことを特徴とする画像記録装置。
【請求項３】
記録プレートに画像を記録するのに際し、記録プレートと合い紙が交互に積み重ねられた堆積物から記録プレートと合い紙とを分離する画像記録装置であって、
前記合い紙を引上げる合い紙用吸着パッドと、
前記合い紙を前記記録プレートから分離するために、前記合い紙と共にその真下の記録プレートが引上げられるのを規制するセパレータとを備え、
前記セパレータは、ピン状部を有し、前記ピン状部は、第１のピン状部と、該第１のピン状部に比べて長さの短い第２のピン状部とを含み、前記ピン状部の先端で合い紙を規制することを特徴とする画像記録装置。
【発明の詳細な説明】
【０００１】
【発明の属する技術分野】
本発明は、記録プレートに画像を記録する画像記録装置に関し、特に記録プレートを積み重ねてできた堆積物から記録プレートを１枚ずつ取り上げるピッキング、取り上げた記録プレートを記録部に供給する給版、並びに記録済みの記録プレートを記録部から取り出して外部に排出する排版からなる一連の記録プレート搬送操作を人手を介さずに実施するようにした画像記録装置に関するものである。
【０００２】
【従来の技術】
平板印刷では、表面に感剤がコーティングされてレーザ光の照射による露光により所要の画像が記録される記録プレートが印刷版として用いられており、このような記録プレートは多数積み重ねた状態で画像記録装置に搬入され、レーザ光による記録処理を行うにあたっては、その記録プレートの堆積物から１枚ずつ記録プレートが取り上げられて記録部に供給され、記録部での記録処理が終了すると記録済みの記録プレートが記録部から取り出されて外部に排出される。
【０００３】
【発明が解決しようとする課題】
しかるに、記録プレートの堆積物から記録プレートを取り上げるピッキング工程では、記録プレートの記録面を保護する目的で記録プレート間に介装された合い紙を堆積物から取り除く必要があり、この合い紙除去操作を手作業で行うには非常に手間がかかることから、合い紙の除去機構を備えた構成が望まれ、特に記録プレートの堆積物から合い紙を確実に分離除去することが可能な構成が望まれる。
【０００４】
本発明は、このような発明者の知見に基づき案出されたものであり、その主な目的は、記録プレートの堆積物から記録プレートを取り上げるピッキング工程において合い紙の分離除去操作を安定して行うことが可能で信頼性の高い画像記録装置を提供することにある。
【０００５】
【課題を解決するための手段】
このような目的を果たすために、本発明においては、請求項１に示すとおり、記録プレートに画像を記録するのに際し、記録プレートと合い紙が交互に積み重ねられた堆積物から記録プレートと合い紙とを分離する画像記録装置であって、合い紙を引上げる合い紙用吸着パッドと、合い紙を記録プレートから分離するために、合い紙と共にその真下の記録プレートが引上げられるのを規制するセパレータとを備え、合い紙用吸着パッドは、自身の収縮動作によって合い紙を引上げるとともに、合い紙用吸着パッドが収縮していない状態では吸着パッドの先端とセパレータの先端の両方を合い紙と接触可能に配設した画像記録装置を提供する。
【０００８】
これによれば、吸着パッドが合い紙を引上げる際に吸着パッドのホルダ部分は移動せずに所定の位置にあるので、そのホルダ部分にはセパレータの取付が可能となる。従って、セパレータを別途他の部材に保持させるような機構は不要となり、また吸着パッド及びそのホルダ等を含む合い紙吸着部が吸着位置と待機位置との間を移動する際にもセパレータと干渉することはない。よって、セパレータの設置が容易かつ安価になる。
【０００９】
ここで、吸着パッドが合い紙に吸着して引上げる機構としては、例えば、ゴム等の弾性材料からなり蛇腹状をなす吸着パッドを、吸着パッドホルダ及び配管等を介して負圧源に接続して用いることができる。負圧源を吸引状態として吸着パッドを合い紙表面に密着させ、吸着パッド内の圧力を所定の圧力まで低下させることで蛇腹状の吸着パッドが収縮するとともに吸着した合い紙を引上げることができる。
【００１０】
また、上述のような吸着パッド自身を収縮させる機構は構造も簡単で好適であるが、必ずしもそれに限定されるものではなく、例えば、外筒及びその内部に摺動自在に嵌挿された内筒を有し、外筒及び内筒の間の密閉を保持しつつ伸縮可能なホルダを用いることができる。この場合には、例えば、吸着パッドのホルダを合い紙の方向に付勢するばね等の付勢手段を備え、上述と同様に負圧源を利用して、吸着パッドを合い紙表面に密着させて吸着パッド及びそのホルダ内の圧力を所定の圧力まで低下させることで、ホルダが付勢手段に対抗して収縮するとともに吸着パッドに吸着した合い紙を引上げることができる。或いは、吸着パッド及びそのホルダ内の圧力とは無関係に、別途設けた空気圧シリンダ等のアクチュエータを利用して吸着パッド又はそのホルダを伸縮させることも可能である。
【００１３】
また、本発明においては、請求項２に示すとおり、記録プレートに画像を記録するのに際し、記録プレートと合い紙が交互に積み重ねられた堆積物から記録プレートと合い紙とを分離する画像記録装置であって、合い紙を引上げる合い紙用吸着パッドと、合い紙を記録プレートから分離するために、合い紙と共にその真下の記録プレートが引上げられるのを規制するセパレータとを備え、セパレータは、合い紙用吸着パッドを外囲する筒状部を有し、その筒状部の先端に切欠き部分が設けられている。
【００１４】
これによれば、筒状部の先端に切欠き部分を設けることで、切欠き部分の下方に位置する合い紙の部分は、セパレータと合い紙の真下の記録プレートとの間で狭持されて固定されてしまうということがなく、合い紙が引上げられる際の変形が容易となる。つまり、切欠き部分によって、合い紙が吸着パッドに引上げられる際の合い紙の変形の逃げを確保することができる。従って、合い紙がその真下の記録プレートと筒状部との間で全周に渡って狭持されて変形し難くなることによる合い紙と記録プレートとの分離能力の低下や、合い紙の破損等のトラブルを効果的に防止することができる。
【００１５】
ここで、切欠き部分は、上述の合い紙の変形のための逃げをより効果的に確保できる位置（即ち、合い紙の変形に応じて変位する合い紙の端部を固定せずに解放状態とする位置）に設けることが好ましい。また、切欠き部分の大きさ及び形状は、筒状部による記録プレートに対する規制作用並びに合い紙の変形のための逃げをより効果的に確保することを考慮し、適用対象に応じて種々の変更が可能である。
【００１８】
また、本発明においては、請求項３に示すとおり、記録プレートに画像を記録するのに際し、記録プレートと合い紙が交互に積み重ねられた堆積物から記録プレートと合い紙とを分離する画像記録装置であって、合い紙を引上げる合い紙用吸着パッドと、合い紙を記録プレートから分離するために、合い紙と共にその真下の記録プレートが引上げられるのを規制するセパレータとを備え、セパレータは、ピン状部を有し、ピン状部は、第１のピン状部と、第１のピン状部に比べて長さの短いの第２のピン状部とを含み、ピン状部の先端で合い紙を規制することができる。
【００１９】
これによれば、セパレータに第２のピン状部を備えることにより、合い紙が吸着パッドによって引上げられ変形した際に、変位する合い紙の端部の乱れが抑制されるので、その合い紙の乱れに起因する種々のトラブルを防止できる。ここで、第２のピン状部は第１のピン状部に比べて短尺であるため、その下方に位置する合い紙の部分は、セパレータと合い紙の真下の記録プレートとの間で解放状態にあり、合い紙が引上げられる際の変形を妨げることもない。
【００２０】
また、第２のピン状部の配置は、変位する合い紙の端部の乱れを効果的に抑制するように決定することができる。例えば、吸着パッドを基準として合い紙の中心側に第１のピン状部を設け、その対称位置（即ち、吸着パッドを基準として合い紙の端部側）に第２のピン状部を設けることができる。
【００２１】
【発明の実施の形態】
以下に添付の図面を参照して本発明の実施の形態について詳細に説明する。
【００２２】
図１は、本発明による画像記録装置を示す正面図である。この画像記録装置は、新聞紙面印刷での印刷版の製版に用いられるものであり、記録プレートに画像を記録する記録ユニット（記録部）１と、この記録ユニット１に記録プレートを供給する給版ユニット（給版部）２と、記録済みの記録プレートを記録ユニットから取り込んで外部に送り出す排版ユニット（排版部）３と、記録プレート及び合い紙を交互に積み重ねてできた堆積物４・５が配置された第１・第２のプレート格納部６・７と、このプレート格納部６・７から所要の記録プレートを１枚ずつ取り上げて給版ユニット２に移送する吸着ユニット（プレート移送手段）８と、プレート格納部６・７の堆積物４・５から分離除去された合い紙を回収する合い紙回収ユニット（合い紙回収部）９とを備えている。
【００２３】
図２は、図１に示した画像記録装置の側面図である。新聞紙面印刷の印刷版には、所定幅の記録プレート（１Ｗ２Ｌサイズ、400mm×1100mm、以下１Ｗ版と呼称する）と、その２倍幅の記録プレート（２Ｗ２Ｌサイズ、800mm×1100mm、以下２Ｗ版と呼称する）との２種類の記録プレートが用いられり、第１のプレート格納部６では、１Ｗ版の記録プレート及び合い紙の堆積物４が積載されたスキッド１１が床面上に横に並べて一対配置されている。第２のプレート格納部７では、２Ｗ版の記録プレート及び合い紙の堆積物５が収容されたカセット１２が格納されている。
【００２４】
吸着ユニット８は、第１のプレート格納部６に横に並べて一対配置されたスキッド１１に対応してその上方に横に並べて一対設けられており、スキッド１１の真上でガイドポスト１３に沿って上下に移動可能になっている。この吸着ユニット８は、サーボモータ１４でねじ軸を回転させることで昇降動作し、エンコーダを介して検出されるパルス数の計数により吸着ユニット８の高さ位置を把握することができ、これにより所要の位置に吸着ユニット８を移動・停止させると共に、プレート格納部６・７に格納された記録プレートの残量を検知することができる。一対のサーボモータ１４は、同期と非同期との切替が可能となっている。
【００２５】
図３は、図１に示した画像記録装置における記録プレート及び合い紙の搬送状態を模式的に示す斜視図である。ここでは、記録プレートを積み重ねてできた堆積物４・５から最上の記録プレートを１枚ずつ取り上げて給版ユニット２に移送するピッキング工程と、給版ユニット２から記録プレートを記録ユニット１に供給する給版工程と、記録ユニット１で記録が行われた記録済みの記録プレートを排版ユニット３に取り込んで外部に排出する排版工程とを有しており、記録プレートが現像が必要なものであれば現像機に送られる。
【００２６】
記録プレートの堆積物４・５から記録プレートを取り上げる際には、記録プレートと同時にその下側の合い紙を取り上げて、給版ユニット２への移送途中で合い紙を放棄し、この合い紙を合い紙回収ユニット（合い紙回収部）９に回収させるようにしており、給版ユニット２には記録プレートのみが移送される。なお、記録プレートのピッキングを行う際に、堆積物４・５の最上面に合い紙がある場合には、記録プレートのピッキングを中止して最上の合い紙を取り上げて除去した上で記録プレートのピッキングをやり直す。
【００２７】
給版ユニット２は、図２に示したように吸着ユニット８の真下にせり出して吸着ユニット８が保持する記録プレートを搬送面上に載置可能なプレート受取位置と、吸着ユニット８の昇降を阻害しない待機位置との間で進退可能にフレーム１８を介してガイドレール１９に支持されている。排版ユニット３も、記録を行わずに記録プレートを排出させる場合に備えて、プレート受取位置と待機位置との間でガイドレール２０に沿って進退可能に設けられている。給版ユニット２及び排版ユニット３は、待機位置で記録ユニット１に対向し、ここで記録ユニット１への記録プレートの供給並びに記録ユニット１からの記録プレートの取り込みが可能になっている。また、第２のプレート格納部７のカセット１２も、第１のプレート格納部６からの１Ｗ版の記録プレートの取り上げを阻害しない待機位置と、第１のプレート格納部６とその上方の吸着ユニット８との間に進入して吸着ユニット８による２Ｗ版の記録プレートの取り上げを可能にする作動位置との間で進退可能になっている。合い紙回収ユニット９は、プレート格納部６・７の上方に配置されると共に、給版ユニット２並びに排版ユニット３の下方に配置されており、吸着ユニット８の真下にせり出して吸着ユニット８から投棄された合い紙を収容可能な合い紙受取位置と待機位置との間で進退可能となっている
図４は、図１に示した吸着ユニットを詳細に示す正面図である。この吸着ユニット（プレート移送手段）８は、記録プレートに介装された合い紙を除去する合い紙除去手段を兼用し、記録プレートＡを保持するプレート用吸着パッド（プレート保持手段）３１が設けられた中心部及び側部の各プレート保持部３２・３３と、合い紙Ｂを保持する合い紙用吸着部（合い紙保持手段）３５が設けられた合い紙保持部３６とを備えている。
【００２８】
中心部プレート保持部３２では、プレート用吸着パッド３１の支持フレーム３８がガイドレール３９に沿って上下動可能に設けられると共に、この支持フレーム３８がばね４０で下向きに付勢されている。側部プレート保持部３３では、プレート用吸着パッド３１の支持フレーム４２がガイドレール４３に沿って横方向に移動可能なスライダ４４に枢支され、内向きに移動させた際にストッパ４５に規制されて傾動するようになっている。また側部プレート保持部３３の支持フレーム４２には、プレート格納部の堆積物の上部に向けて側方からエアーを噴出して堆積物の捌きを行うノズル４６が設けられており、このノズル４６はプレート用吸着パッド３１と一体的に動作する。
【００２９】
合い紙保持部３６では、合い紙用吸着部３５の支持フレーム４８が、ガイドレール４９に沿って上下動可能に支持されている。このガイドレール４９は、下端側を内向きに傾斜させた態様で設けられ、合い紙用吸着部３５が内向きに移動しながら降下するようになっている。
【００３０】
図５は、図４に示した合い紙用吸着部の作用図である。合い紙用吸着部３５は、蛇腹状をなす合い紙用吸着パッド１００と、吸着パッド１００を外囲する円筒状のセパレータ１０１と、吸着パッド１００を取付け保持可能な吸着パッドホルダ１０２とを有する。ホルダ１０２の他端は、配管等を介しての負圧源（真空ポンプ）に接続されており、これにより吸着パッド内の圧力を低下させて合い紙Ｂに吸着させることができる。吸着パッド１００は、合い紙Ｂに吸着してそのまま自身が収縮することにより合い紙を引上げ可能なようにゴム等の弾性材料によって形成される。また、セパレータ１０１には、効果的な規制作用を奏するように比較的変形し難い樹脂材料や金属等を用いるが、その先端部が記録プレートＡに接触する際に傷等を発生させないように、例えば柔軟性を有するゴム等からなるカバー部材１０３で先端部を覆うことができる。
【００３１】
次に、この吸着部３５が合い紙Ｂと記録プレートＡとを分離する作用について説明する。図５（ａ）は通常の状態（収縮していない状態）の合い紙用吸着パッド１００が最上の合い紙Ｂに吸着した状態を示し、図５（ｂ）は合い紙に吸着した吸着パッド１００がその後収縮して合い紙Ｂを引上げた状態を示す。図５において、堆積物の最上面には合い紙Ｂが示されているが、最上面に記録プレートＡが存在する場合でも、後述する図７に示すように、最上面の記録プレートＡの両端部を持ち上げて下向きに凸になる形状に記録プレートＡを湾曲させること等によって同様に取り扱うことができる。
【００３２】
図５（ａ）に示すように、真空ポンプ（図示せず）を吸引状態として通常の状態の合い紙用吸着パッド１００を合い紙Ｂに近接させると、吸着パッド１００が合い紙表面に密着してパッド内の圧力が低下する。ここで、合い紙Ｂとその真下の記録プレートＡとの密着度が高い場合には、合い紙用吸着パッド１００が収縮するのに伴い合い紙Ｂと共に記録プレートＡまでが浮上がる状態となり両者を分離することが困難となる。そこで、吸着パッド１００の近傍に設けたセパレータ１０１により、記録プレートＡの浮上がりを規制することができる。つまり、図５（ｂ）に示すように、セパレータ１０１の規制作用によって、変形し易い比較的低剛性の合い紙Ｂは、少なくとも吸着パッド１００に吸着された部分が容易に湾曲する一方で、変形し難い比較的高剛性の記録プレートＡは、概ね平板状のまま保持され、結果として両者の間に間隙が生じる。従って、蛇腹状をなす吸着パッド１００が収縮するとともに、合い紙Ｂの一部がその真下の記録プレートＡを離れて浮上がる状態となり、その後、合い紙用吸着部３５を上昇させて合い紙Ｂのみを引上げることで両者を容易に分離することができる。
【００３３】
ここで、セパレータ１０１は、その先端部に切欠き部分１０１ａを有する。図に示すように、切欠き部分１０１ａは、合い紙Ｂの端部側（図面左側）に設けられており、セパレータ１０１の円筒側面に対して傾斜させて先端部を切欠いた形状をなす。このような切欠き部分１０１ａを設けることで、切欠き部分１０１ａの下方に位置する合い紙Ｂの部分は、セパレータと合い紙Ｂの真下の記録プレートＡとの間で狭持されて固定されてしまうということがなく、合い紙が引上げられる際の変形が容易となる。つまり、この切欠き部分１０１ａによって、合い紙Ｂが吸着パッド１００に引上げられる際の合い紙Ｂの変形の逃げを確保することができる。従って、合い紙Ｂがその真下の記録プレートＡと円筒状のセパレータ１０１の先端部との間で全周に渡って狭持されて変形し難くなることによる合い紙Ｂと記録プレートＡとの分離能力の低下や、合い紙Ｂの破損等のトラブルを効果的に防止することができる。
【００３４】
図６は、図５（ｂ）に示した合い紙用吸着部の変更例を示す図である。本実施形態における吸着部５５は、図５（ｂ）に示した吸着部３５と概ね同様の構成であるが、円筒状のセパレータ１０１の代替として長さの異なるピン状をなすセパレータ２０１を含む点において異なる。ここで、吸着パッド２００を基準として合い紙Ｂの中心側（図面右側）に長尺の第１のピン状部２０１ａが設けられ、その対称位置の合い紙の端部側（図面左側）に短尺の第２のピン状部２０１ｂが設けられている。図には示さないが、各ピン状部材の先端には前述のようなカバー部材を設けることもできる。
【００３５】
長尺の第１のピン状部２０１ａは、図５に示したセパレータ１０１と同様に記録プレートＡの浮上がりを規制することができる。従って、図６に示すように、第１のピン状部２０１ａの規制によって、変形し易い比較的低剛性の合い紙Ｂは、少なくとも吸着パッド２００に吸着された部分が容易に湾曲する一方で、変形し難い比較的高剛性の記録プレートＡは概ね平板状のまま保持され、結果として両者の間に間隙が生じる。ここで、第２のピン状部２０１ｂによって、合い紙Ｂが吸着パッド２００によって引上げられ変形する際に、変位する合い紙Ｂの端部の乱れを抑制することができる。第２のピン状部２０１ｂは第１のピン状部２０１ａに比べて短尺であるため、その下方に位置する合い紙Ｂの部分は、第２のピン状部２０１ｂの先端と合い紙の真下の記録プレートとの間で固定されるということはなく解放状態にあるので、合い紙が引上げられる際の変形を妨げることはない。
【００３６】
図７は、図４に示した吸着ユニットによるプレート及び合い紙の保持操作状況を示す正面図である。吸着ユニット８は、記録プレートＡを取り上げる際に、記録プレートＡの両端部を持ち上げて下向きに凸になる形状に記録プレートＡを湾曲させて、記録プレートＡと合い紙Ｂとの間に合い紙用吸着部３５が進入可能な空間を形成して合い紙用吸着部３５に合い紙Ｂの端部を保持させるようになっている。
【００３７】
中心部及び側部の各プレート保持部３２・３３の全てのプレート用吸着パッド３１が記録プレートに密着した状態から吸着ユニット８を上昇させると、ばね４０の復元力で中心部プレート保持部３２のプレート用吸着パッド３１が記録プレートＡに密着した状態に保持される一方で、側部プレート保持部３３のプレート用吸着パッド３１は吸着ユニット８の上昇に伴って上昇し、これにより中心部プレート保持部３２と側部プレート保持部３３とでプレート用吸着パッド３１の高さ位置にずれが生じる。このため、記録プレートＡは両端部が持ち上げられて下向きに凸になる形状に湾曲し、このとき内向きに移動させた側部プレート保持部３３の支持フレーム４２がストッパ４５に規制されて傾動することで、記録プレートＡの湾曲に伴って側部プレート保持部３３のプレート用吸着パッド３１を傾斜させることができ、これにより記録プレートＡの端部に対してプレート用吸着パッド３１が適切な角度に保持され、プレート用吸着パッド３１の保持力低下を避けることができる。そして湾曲した記録プレートＡの端部とその下の合い紙Ｂとの間に合い紙用吸着部３５を進入させることで合い紙用吸着部３５に合い紙Ｂの端部を保持させることができる。
【００３８】
図８は、図１に示した合い紙回収ユニットを詳細に示す断面図である。この合い紙回収ユニット９は、合い紙Ｂを収容する箱体７１と、吸着ユニット８に保持された合い紙Ｂを箱体７１に取り入れると共にこの箱体７１内に収容された合い紙Ｂを押さえる開閉部材７２とを備えている。開閉部材７２は、吸着ユニット８に保持された合い紙Ｂの上面側に回り込む開位置と、箱体７１内に収容済みの合い紙Ｂを押さえる閉位置との間で揺動可能に設けられ、開閉部材７２の閉動作で合い紙Ｂが箱体７１内に収容される。この開閉部材７２は、箱体７１の両側にそれぞれ設けられて内向きに閉動作し、合い紙用吸着部３５による合い紙Ｂの保持が解除されて合い紙Ｂが解放された直後に取り入れ動作を行うように制御され、合い紙用吸着部３５から合い紙Ｂの両端部を払い落とすように動作させる。
【００３９】
【発明の効果】
このように本発明によれば、記録プレートの堆積物から記録プレートを取り上げるピッキング工程での合い紙の分離除去操作を安定して行うことが可能となり、画像記録装置の信頼性を高める上で大きな効果が得られる。
【図面の簡単な説明】
【図１】本発明による画像記録装置を示す正面図
【図２】図１に示した画像記録装置の側面図
【図３】図１に示した画像記録装置における記録プレート及び合い紙の搬送状態を模式的に示す斜視図
【図４】図１に示した吸着ユニットを詳細に示す正面図
【図５】図４に示した合い紙用吸着部の作用図
【図６】図５に示した合い紙用吸着部の変更例を示す図
【図７】図４に示した吸着ユニットによるプレート及び合い紙の保持操作状況を示す正面図
【図８】図１に示した合い紙回収ユニットを詳細に示す断面図
【符号の説明】
１  記録ユニット（記録部）
２  給版ユニット（給版部）
３  排版ユニット（排版部）
４・５  堆積物
６・７  プレート格納部
８  吸着ユニット（プレート移送手段、合い紙除去手段）
９  合い紙回収ユニット（合い紙回収部）
１１  スキッド
１２  カセット
２１  ドラム（プレート保持体）
３１  プレート用吸着パッド（プレート保持手段）
３２  中心部プレート保持部
３３  側部プレート保持部
３５、５５  合い紙用吸着部（合い紙保持手段）
３６  合い紙保持部
７２  開閉部材
１００、２００  合い紙用吸着パッド
１０１、２０１  セパレータ
１０１ａ  切欠き部分
１０２、２０２  吸着パッドホルダ
１０３  カバー部材
Ａ  記録プレート
Ｂ  合い紙
【図１】
0003947427.tif 000002
【図２】
0003947427.tif 000003
【図３】
0003947427.tif 000004
【図４】
0003947427.tif 000005
【図５】
0003947427.tif 000006
【図６】
0003947427.tif 000007
【図７】
0003947427.tif 000008
【図８】
0003947427.tif 000009